(57)【特許請求の範囲】
【請求項１】
左右方向に沿う複数枚の紙製の第１縦板と、前後方向に沿う複数枚の紙製の第２縦板とを井桁状に差込み接続して立体格子体を構成し、前記第１、第２縦板の上端に亘って紙製の天板を差込み接続し、更に、前記第１、第２各縦板の下端に亘って紙製の底板を差込み接続するとともに、前記立体格子体のうち、樽軸芯線を通る前後方向の鉛直面に対して左側領域に位置する第１、第２縦板の上下複数箇所、及び、前記前後方向鉛直面に対して右側領域に位置する第１、第２縦板の上下複数箇所に対して、それぞれ水平方向から紙製の水平板を差込み接続してあるディスプレイ用菰樽の樽代用体。
【請求項２】
樽軸芯線の方向に所定間隔を隔てて水平又はほぼ水平姿勢で配置された複数の紙製の円板と、樽軸線を中心とする放射方向に沿った姿勢で、周方向に所定角度を以って配置された複数の紙製の放射縦板とを差込み接続して放射状立体格子体を構成するとともに、前記放射縦板の上端に亘って紙製の天板を差込み接続し、更に、前記放射縦板の下端に亘って紙製の底板を差込み接続してあるディスプレイ用菰樽の樽代用体。
【請求項３】
前記前後方向鉛直面に対して左側領域に位置する複数の水平板、及び、前後方向鉛直面に対して右側領域に位置する複数の水平板に対して、前後方向鉛直面及び左右方向鉛直面に対して共に交差する斜め方向から紙製の斜め縦板を差込み接続してある請求項１記載のディスプレイ用菰樽の樽代用体。
【請求項４】
前記各板が、ダンボール紙から構成されている請求項１〜３のいずれか１項に記載のディスプレイ用菰樽の樽代用体。
【発明の詳細な説明】
【０００１】
【発明の属する技術分野】
本発明は、陳列等に用いられるディスプレイ用菰樽の樽代用体に関する。
【０００２】
【従来の技術】
菰樽は、日本人の伝統、風俗、酒文化、及び、稲作文化の中で形成されてきた化粧樽の一つであり、酒樽を覆う菰には、多くは酒造メーカーの酒銘柄が記載され、古くから宣伝媒体として用いられているとともに、色彩のある絵柄や模様などの化粧が施されているので、見た目にも華やかな雰囲気を持っているので、神社等への奉納の品、祝いの席での鏡開き用の酒樽として用いられていることは勿論のこと、店先のディスプレイ用菰樽等としても用いられている。
【０００３】
前記鏡開き用の菰樽等の場合では、酒を入れてある本物の酒樽や、酒を収容する樽形状の酒容器を用いているが、展示を主体とするディスプレイ用菰樽の場合では、外観の菰部分を強調することができればよいので本物の酒樽を用いる必要性がなく普通には、菰の中身に樽形態の樽代用体を用いている。
【０００４】
また、ディスプレイ用菰樽を展示する現場によっては、中身が本物の酒樽と思ってディスプレイ用菰樽上に見物者が腰を掛けたりすることがあることが、顧客の情報からわかっている。
そのようなことで簡単に潰れてしまうようなことがあれば、商品の信頼性を損なうことにもなり兼ねないため、頑丈に使用することができるように、ディスプレイ用菰樽の樽代用体に、全体を発泡樹脂等の合成樹脂で形成したものや、ベニヤ板によって樽形状に組付けたものが存在している。
【０００５】
【発明が解決しようとする課題】
しかし、ディスプレイ用菰樽の樽代用体が発泡樹脂などの合成樹脂材を用いている場合、加工が容易で耐久性も備えているので、樽の代用品としてはよいのであるが、他方、樽代用体全体を発泡樹脂で形成してある結果、廃棄処理の観点からすれば、処理が面倒になることが予測されるものであった。
【０００６】
また、ベニヤ板によるものでは、頑丈な樽代用体を形成することができるが、釘材などを用いて組付けているため、製作手間を要する問題がある。
【０００７】
さらに、樽代用体には、ダンボールから形成された樽本体部と、この樽本体部の下面に発泡樹脂製の台座を設けた簡易的な樽代用体を形成したものも考えられている。
【０００８】
この樽代用体ＡＡは、図１２に示すように、十字状に一対の縦板１００，１０１を組付けて芯体を形成し、これの上下に天板１０２と底板１０３を配置する状態にするとともに、芯体周りに胴板１０４を配置した状態で、天板１０２と胴板１０４、及び、底板１０３と胴板１０４を、接着テープやステープラー等を介して止着し、底板１０３の下面に環状の台座１０５を接着剤や両面テープを介して止着して組立られるものである。
【０００９】
このような構造の樽代用体ＡＡにあっては、縦板１００，１０１の直接的な支えのない天板１０２部分などは荷重負担には弱い構造になっているので、例えば、天板上に人が腰を掛けたりすることによって荷重負担が加わった場合、変形したり崩れたりしてしまう懸念がある。
【００１０】
そのため、この種の樽代用体ＡＡは、例えば、陳列台上に載置して、不意な荷重が加わることがないようにするなど、設置できる場所が限られる問題を有していた。
【００１１】
本発明は、上述の実状に鑑みて為されたものであって、その主たる課題は、人が腰を掛けるようなことがある現場での使用が可能であるとともに、廃棄後の処理における環境面への配慮も考慮してあり、しかも、組立が容易なディスプレイ用菰樽を提供する点にある。
【００１２】
【課題を解決するための手段】
本発明の請求項１によるディスプレイ用菰樽の樽代用体の特徴構成は、左右方向に沿う複数枚の紙製の第１縦板と、前後方向に沿う複数枚の紙製の第２縦板とを井桁状に差込み接続して立体格子体を構成し、前記第１、第２縦板の上端に亘って紙製の天板を差込み接続し、更に、前記第１、第２各縦板の下端に亘って紙製の底板を差込み接続するとともに、前記立体格子体のうち、樽軸芯線を通る前後方向の鉛直面に対して左側領域に位置する第１、第２縦板の上下複数箇所、及び、前記前後方向鉛直面に対して右側領域に位置する第１、第２縦板の上下複数箇所に対して、それぞれ水平方向から紙製の水平板を差込み接続してある点にある。
【００１３】
上記特徴構成によれば、
(1)  樽代用体が、立体格子体に対して天板と底板とを差込み接続して全体が一体化する組立構成になっているので、剛性が高く構造的にも丈夫であり、不意に人が腰を掛けるなどによって荷重負担が加わった場合であっても、変形したり崩れたりしてしまうことがない。
(2)  樽代用体の全部が紙材から形成されているので、廃棄後の処理が焼却の場合には、普通の燃焼処理で済み、埋立ての場合には、自然に土壌化するため、従来の合成樹脂から形成されている樽代用体に比べて、環境に配慮した処理をすることが可能である。
等の利点を生じ、人が腰を掛けたりすることがあっても、安心して使用することができるとともに、役目が終了して廃棄するに際しても、環境に配慮された素材構成であるので、安心して処分することができ、社会的信頼性の高い商品を形成することができる。
また、組付け部材を組立てることによって、樽代用体を形成することができ、その組立も規則性があるので簡単に組立てることができる。
さらに、複数の水平板が樽代用体の構成部材に加わることによって、より立体格子化されて構造がさらに頑丈になるとともに、樽代用体の保形性を高めることができる。
【００１４】
そのため、各組立パーツ毎の板材を多数用意しておけば、多数のディスプレイ用菰樽を能率的に製作することができる。また、組立前の状態では、ディスプレイ用菰樽を嵩張らない状態で運搬することができるので、使用現場において組立てることができると言うように、多様な組立方法を選択することができる利点がある。
【００１５】
本発明の請求項２によるディスプレイ用菰樽の樽代用体の特徴構成は、樽軸芯線の方向に所定間隔を隔てて水平又はほぼ水平姿勢で配置された複数の紙製の円板と、樽軸線を中心とする放射方向に沿った姿勢で、周方向に所定角度を以って配置された複数の紙製の放射縦板とを差込み接続して放射状立体格子体を構成するとともに、前記放射縦板の上端に亘って紙製の天板を差込み接続し、更に、前記放射縦板の下端に亘って紙製の底板を差込み接続してある点にある。
【００１６】
上記特徴構成によれば、
(1)  樽代用体が、放射状立体格子体に対して天板と底板とを差込み接続して、全体が一体化する組立構成になっているので、剛性が高く構造的にも丈夫であり、不意に人が腰を掛けるなどによって荷重負担が加わった場合であっても、変形したり崩れたりしてしまうことがない。
(2)  樽代用体の全部が紙材から形成されているので、廃棄後の処理が焼却の場合には、普通の燃焼処理で済み、埋立ての場合には、自然に土壌化するため、従来の合成樹脂から形成されている樽代用体に比べて、環境に配慮した処理をすることが可能である。
等の利点を生じ、人が腰を掛けたりすることがあっても、安心して使用することができるとともに、役目が終了して廃棄するに際しても、環境に配慮された素材構成であるので、安心して処分することができ、社会的信頼性の高い商品を形成することができる。
また、組付け部材を組立てることによって、樽代用体を形成することができ、その組立も規則性があるので簡単に組立てることができる。
【００１７】
そのため、各組立パーツ毎の板材を多数用意しておけば、多数のディスプレイ用菰樽を能率的に製作することができる。また、組立前の状態では、ディスプレイ用菰樽を嵩張らない状態で運搬することができるので、使用現場において組立てることができると言うように、多様な組立方法を選択することができる利点がある。
【００１９】
本発明の請求項３によるディスプレイ用菰樽の樽代用体の特徴構成は、前記前後方向鉛直面に対して左側領域に位置する複数の水平板部、及び、前後方向鉛直面に対して右側領域に位置する複数の水平板部に対して、前後方向鉛直面及び左右方向鉛直面に対して共に交差する斜め方向から紙製の斜め縦板を差込み接続してある点にある。
【００２０】
上記特徴構成によれば、さらに斜め縦板が樽代用体の構成部材に加わることによって、より一層、立体格子化され構造がより頑丈になるとともに、より樽代用体の保形性を高めることができる。
【００２１】
本発明の請求項４によるディスプレイ用菰樽の樽代用体の特徴構成は、前記各板が、ダンボール紙から構成されている点にある。
【００２２】
上記特徴構成によれば、ダンボール紙であれば、調達が容易で比較的に簡単に樽代用体を組立形成することができるとともに、リサイクル利用が可能な素材であるので、廃棄処理後の選択枝も、廃棄、或は、リサイクル利用等があるので、環境に配慮した処理をすることが可能である。
【００２３】
本発明では、前記台座の菰正面相当位置の高さが、菰背面相当位置の高さよりも大に構成されていてもよい。
【００２４】
上記構成によれば、水平載置面上に、ディスプレイ用菰樽を展示した状態では、菰の正面側が少し斜め上方を向くことになり、特に、目線より下方に、このディスプレイ用菰樽が置かれてあるような場合、見る人に対して菰の正面側を強調して見せることができるので、菰樽の存在感を強くアピールすることができ、ディスプレイ効果を高めることができる。
【００２５】
本発明では、前記台座の菰背面相当位置の高さが菰正面相当位置の高さよりも大に構成されていてもよい。
【００２６】
上記構成によれば、水平載置面上に、ディスプレイ用菰樽を展示した状態では、菰の正面側が少し斜め下方を向くことになり、特に、目線より上方に、このディスプレイ用菰樽が置かれてあるような場合、見る人に対して菰の正面側を強調して見せることができるので、菰樽の存在感を強くアピールすることができ、ディスプレイ効果を高めることができる。
【００２７】
【発明の実施の形態】
〔第１実施形態〕
以下、本発明の一実施形態のディスプレイ用菰樽Ａを図面に基づいて説明する。
【００２８】
このディスプレイ用菰樽Ａは、図３に示すように、包装芯材となる樽代用体Ｂに、菰Ｋを綴じ縄ａ、ｂ、ｃ，ｄを介して巻着して構成されている。
【００２９】
樽代用体Ｂは、図１，図２に示すように、左右方向に沿う２枚のダンボール紙製の第１縦板１０，１０と、前後方向に沿う２枚のダンボール紙製の第２縦板２０，２０とを井桁状に差込み接続して立体格子体Ｂ１を構成するとともに、前記第１、第２縦板１０，２０の上端に亘ってダンボール紙製の天板２を差込み接続し、更に、前記第１、第２各縦板１０，２０の下端に亘ってダンボール紙製の台座４を備えた紙製の底板３を差込み接続し、前記立体格子体Ｂ１のうち、樽軸芯線Ｐ１を通る前後方向の鉛直面に対して左側領域に位置する第１、第２縦板１０，２０の上下複数箇所、及び、前後方向鉛直面に対して右側領域に位置する第１、第２縦板１０，２０の上下複数箇所に対して、それぞれ水平方向からダンボール紙製の水平板３０…を差込み接続し、前後方向鉛直面に対して左側領域に位置する複数の水平板３０…、及び、前後方向鉛直面に対して右側領域に位置する複数の水平板３０…に対して、前後方向鉛直面及び左右方向鉛直面に対して共に交差する斜め方向からダンボール紙製の斜め縦板４０を差込み接続し、天板２の周縁と底板３の周縁との間に、菰正面側のほぼ半周分にダンボール紙製の胴板５を添設することにより構成されている。
【００３０】
前記各第１縦板１０，１０と、各第２縦板２０，２０とは、第１縦板１０に形成されている左右一対の上向き開口の差込み嵌合溝１０ａ，１０ａに、第２縦板２０に形成されている前後一対の下向き開口の差込み嵌合溝２０ａ，２０ａを上下方向から差込み接続して両者を組付け状態にしてある。
【００３１】
立体格子体Ｂ１と天板２とは、各縦板１０，２０上端に形成してある一対の差込み舌片１０ｂ，１０ｂ，２０ｂ，２０ｂに、これに対応して天板２側に形成された差込み溝部２Ａ…を差込み接続して両者を組付け状態にしてある。
【００３２】
立体格子体Ｂ１と底板３とは、各縦板１０，２０下端に形成してある一対の差込み舌片１０ｃ，１０ｃ，２０ｃ，２０ｃに、これに対応して底板３に形成された差込み溝部３Ａ…を差込み接続して両者を組付け状態にしてある。
【００３３】
底板３と台座４とは、底板３を貫通して下方に突出している差込み舌片１０ｃ，１０ｃ，２０ｃ，２０ｃに、これに対応して台座４に形成された凹溝４Ａを差込み接続して両者を組付け状態にしてある。
【００３４】
立体格子体Ｂ１を構成する各縦板１０，１０，２０，２０と水平板３０とは、立体格子体Ｂ１の左側領域側では、縦板１０，２０に形成された横溝１０ｄ，１０ｄ，２０ｄに、これに対応して水平板３０に形成された差込み嵌合溝３０ａを差込み接続して両者を組付け状態にしてあり、立体格子体Ｂ１の右側領域側では、縦板１０，２０に形成された横溝１０ｅ，１０ｅ，２０ｅに、これに対応して水平板３０に形成された差込み嵌合溝３０ａを差込み接続して両者を組付け状態にしてある。
【００３５】
水平板３０と斜め縦板４０とは、水平板３０に形成された斜め溝３０ｂに、これに対応して斜め縦板４０に形成された組付け用嵌合溝４０ａを差込み接続して両者を組付け状態にしてある。
【００３６】
前記天板２は、前記胴部１の上部の直径と対応する大きさの直径を有するとともに、立体格子体Ｂ１を形成する各縦板１０，２０の差込み舌片１０ｂ，２０ｂに対応する位置に長孔を穿孔してある複数の円形板２ａ…を積層して形成されている。この天板２は、円形板２ａ相互間に接着剤を介して予め一体的な積層体となっており、組立時に組付けやすく、取扱いが容易になっている。
【００３７】
前記底板３は、前記胴部１の下部の直径と対応する大きさの直径を有するとともに、各縦板１０，２０の差込み舌片１０ｃ，２０ｃに対応する位置に長孔を穿孔してある複数の円形板３ａ…を積層して形成されている。この底板３は、例えば、円形板３ａ相互間に接着剤を介して予め一体的な積層体となっており、組立時に組付けやすく、取扱いが容易になっている。
【００３８】
前記台座４は、複数の環状板４ａ…を積層して形成され、最上部の環状板４ａには、下側の差込み舌片１０ｃ，２０ｃに対応する位置に凹溝４Ａが形成されている。この台座４は、例えば、環状板４ａ相互間に接着剤を介して予め一体的な積層体となっており、組立時に組付けやすく、取扱いが容易になっている。
【００３９】
また、台座４は、図５に示すように、台座４の菰正面相当位置の高さｔ１が、菰背面相当位置の高さｔ２よりも大に構成されてあり、載置面Ｇに載置した状態では菰樽正面が前方上方に向くように構成されている。具体的には、高さ変化分余分に積層形成された台座４の底面側をカッター等で斜めに切断して、正面側と背面側との厚さを異なるように形成したり、台座の正面側の底部に所定厚さの上げ底分材を貼着するなどして、菰正面相当位置する台座４の底面部分に、厚みのある底上げ部分６を形成することによって、台座４の菰正面相当位置の厚さを厚くしてある。
【００４０】
前記菰Ｋは、藁やを編んで形成されたものや、表面に藁模様を凹凸加工を施して形成してある合成樹脂樹脂シートから形成され、樽代用体Ｂの周面を巻装することができる長さを有している。菰Ｋの表面には、巻方向の中央部分に位置して、例えば、酒造メーカの銘柄名、酒造メーカー名、絵柄模様等が印刷などによって表示されている。
【００４１】
このように構成された樽代用体Ｂに菰Ｋを巻装する仕方を簡単に説明する。菰Ｋの巻装の仕方は、古くから決められたものが存在し、これに従って巻着されているが、ここでは、その概略を説明する。
【００４２】
まず、菰Ｋの巻始端と巻終端とが樽代用体Ｂの背中側中央部分となり、菰Ｋの中央部分が樽代用体Ｂの正面に位置するように巻き付けて、背中合せ部で綴じる。
【００４３】
次に、図３〜図５に示すように、菰Ｋの上側開口Ｋ１を口縄ａを用いて、同心状の縁かがりによって綴じた後、菰Ｋの下部開口Ｋ２を尻縄ｂを用いて縁かがりによって綴じて、樽代用体Ｂが菰Ｋで包み込まれた状態を形成する。
【００４４】
次に、２本一組の立縄ｃを４組用いて、正面側の前半分を広く見せるように平面視で変則的に４分割するように結びつけてある。詳しくは、樽代用体Ｂの上部中央部で４組の立縄ｃを交差させるとともに、４組の縄先端を前段菰樽の下部中央部で一連に結びつける。ここでの結び目は、台座４の中央穴４Ｂに収容される。
【００４５】
次いで、樽代用体Ｂの上部胴周りに該当する箇所と、樽代用体Ｂの台座４周りに該当する箇所とに、菰Ｋ上面から３本一組の横縄ｄを用いて、縦縄部分では縦縄に結び付けながら巻掛ける。以上によって、ディスプレイ用菰樽Ａを製作することができる。
【００４６】
しかも、樽代用体Ｂがダンボール板製でありながら頑丈に形成されているので、綴じ縄ａ，ｂ，ｃ，ｄの締付力を樽代用体Ｂへの締付として確実に作用させることができ、菰Ｋを見栄えよく巻着することができる。
【００４７】
立縄ｃに対して、口縄ａ、尻縄ｂ、横縄ｄには細縄が用いられている。
【００４８】
〔第２実施形態〕
この第２の実施形態におけるディスプレイ用菰樽Ａの樽代用体ＢＢにおいては、前述の第１実施形態のディスプレイ用菰樽Ａの樽代用体Ｂと異なる部分を説明し、同構成の部分には、同一符号を附してその説明は省略する。
【００４９】
この実施形態のディスプレイ用菰樽の樽代用体Ａは、図７、図８に示すように、樽軸芯線Ｐ１方向に所定間隔を隔てて水平又はほぼ水平姿勢で配置された２枚のダンボール紙製の円板５０…と、樽軸線Ｐ１を中心に放射方向に沿った姿勢で、 周方向に所定角度を以って配置された１２枚のダンボール紙製の放射縦板６０…とを差込み接続して放射状立体格子体ＢＢを構成するとともに、前記放射縦板６０の上端に亘ってダンボール紙製の天板２を差込み接続し、更に、前記放射縦板６０の下端に亘ってダンボール紙製の底板３を差込み接続し，天板２と底板３との間の放射状格子体ＢＢに、該放射状格子体ＢＢの全周分に対応して巻き形成されたダンボール紙製の胴板５Ｂを装着することにより構成されている。
【００５０】
前記各円板５０と、各放射縦板６０とは、円板５０に該円板５０の軸芯線を中心に放射方向に沿い、 且つ、 周方向に等角度を以って形成された差込み嵌合溝５０ａに、放射縦板６０に形成されている横向き開口の差込み嵌合溝６０ａを水平方向から差込み接続して、両者を組付け状態にしてある。
【００５１】
放射状立体格子体ＢＢと天板２とは、各放射縦板６０上端に形成してある差込み舌片６０ｂに、これに対応して天板２側に形成された差込み溝２Ａ…を差込み接続して両者を組付け状態にしてある。
【００５２】
放射状立体格子体ＢＢと底板３とは、各放射縦板６０下端に形成してある差込み舌片６０ｃに、これに対応して底板３側に形成された差込み溝３Ａ…を差込み接続して両者を組付け状態にしてある。
【００５３】
底板３と台座４とは、底板３の中心軸芯線と芯線をほぼ同じにして環状形態の台座４を貼着してある。
【００５４】
〔別実施形態〕
１）  上記第１実施形態では、２枚の第１縦板１０，１０と、２枚の第２縦板２０，２０を用いて立体格子体Ｂ１を形成する例を説明したが、本発明はこれに限らず、各縦板を２枚以上用いて立体格子体Ｂ１を形成してもよい。この場合、ダンボール板の厚さが同じならば、交差する板が増すとともに、交差する板間隔が狭くなるので、立体格子体Ｂ１の剛性が高くる。また、例えば、交差する板が増して剛性が高まるので、反対にダンボール板の厚さを薄くしたものを用いて、２枚の第１縦板１０，１０と、２枚の第２縦板２０，２０を用いたときの剛性と同じになるようにしてもよい。
また、同様に前記第２実施形態においても、２枚の円板５０…と、１２枚の放射縦板６０…を用いて放射状格子体ＢＢを形成するものについて説明したが、これに限らず、円板５０を２枚以上用いても、放射縦板６０を３枚以上用いておればよいが、第２実施形態で説明した枚数程度が好ましい。
【００５５】
２）  上記第１実施形態では、台座４の菰正面相当位置の高さｔ１が、菰背面相当位置の高さｔ２よりも大に構成してあるディスプレイ用菰樽Ａについて説明したが、これに限らず、台座の菰背面相当位置の高さｔ２が菰正面相当位置の高さｔ１よりも大に構成してあるディスプレイ用菰樽Ａであってもよい。
この場合、人の目線より高い場所に設置されて用いられ、載置状態では、菰Ｋの正面部分が前方下方を向き、見上げる人にとって、菰Ｋの正面部分の存在感を強くアピールすることができる。
【００５６】
３）  上記第１実施形態では、環状の台座４を底板３下面側に設けた例ついて説明したが、本発明はこれに限らず、図６に示すように、例えば、立体格子体Ｂを構成する各縦板１０，２０下端に形成してある差込み舌片１０ｃ，１０ｃ，２０ｃ，２０ｃを底板３からさらに下方に貫通突出する舌片構成にするとともに、これら差込み舌片１０ｃ，１０ｃ，２０ｃ，２０ｃを取巻くように環状の縦帯板４Ｃを設けて台座４を構成するものであってもよい。
この場合、菰正面側に位置する差込み舌片１０ｃ，１０ｃを他の差込み舌片２０ｃ，２０ｃより突出長さを多くすることによって、正面側の台座部分に底上げ部分が形成され、その結果、菰樽正面が前方上方に向くように構成してもよいし、反対に菰背面側に位置する差込み舌片２０ｃ，２０ｃを他の差込み舌片２０ｃ，２０ｃより突出長さを多くすることによって、背面側の台座部分に底上げ部分が形成され、その結果、菰樽正面が前方下方に向く構成にしてよい。
同様に第２実施形態においても、図９に示すように、例えば、放射状立体格子体Ｂ，Ｂを構成する各放射縦板６０下端に形成してある差込み舌片６０ｃを底板３下面よりさらに下方に貫通突出する舌片構成にするとともに、これら差込み舌片６０ｃを取巻くように環状の縦帯板４Ｃを設けて台座４を構成するものであっても，図１０に示すように、環状縦板４Ｄを各差込み舌片６０ｃ下面側に開口する溝６０ｄを跨ぐように嵌め込んで台座４を構成するものであってもよい。
この場合、菰正面側に位置する少なくとも一つの差込み舌片６０ｃを、他の差込み舌片６０ｃより突出長さを長くすることによって、正面側の台座部分に底上げ部分が形成され、その結果、菰樽正面が前方上方に向く構成にしてもよいし、反対に菰背面側に位置する少なくとも差込み舌片６０ｃを、他の差込み舌片６０ｃより突出長さを多くすることによって、背面側の台座部分に底上げ部分が形成され、その結果、菰樽正面が前方下方に向く構成にしてよい。
４）  上記第１、第２実施形態では、樽代用体を構成する紙板素材にダンボール板材を用いた例を説明したが、本発明はこれに限らず、厚手の紙板等を用いてもよい。
【００５７】
５）  上記第１実施形態では、樽代用体Ｂに、多数の水平板３０…と、複数の斜め縦板４０…とを設けた例を説明したが、本発明はこれに限らず、図１における多数の水平板３０…と、複数の斜め縦板４０…とを用いない組立構成の樽代用体Ｂであってもよい。（図１１（イ）に図示）
この場合、図１において、各縦板１０，２０に形成されている横溝１０ｄ，１０ｅ，２０ｄ，２０ｅは無くてもよい。
【００５８】
また、本発明においては、図１における複数の斜め縦板４０…を用いない組立構成の樽代用体Ｂであってもよい。（図１１（ロ）に図示）
この場合、図１において、水平板３０に形成されている斜め溝３０ｂは無くてもよい。
尚、これら実施形態におけるその他の構成は、第１実施形態で説明した構成と同一であるから、同一の構成箇所には、第１実施形態と同一の番号を付記してそれの説明は省略する。
【図面の簡単な説明】
【図１】本発明の第１実施形態における樽代用体の分解斜視図
【図２】樽代用体を一部簡略して示す斜視図
【図３】ディスプレイ用菰樽の外観を示す斜視図
【図４】ディスプレイ用菰樽の正断面図
【図５】ディスプレイ用菰樽の側断面図
【図６】別の実施形態を示す台座部分を下面側から示す要部斜視図
【図７】第２実施形態のディスプレイ用菰樽を示す分解斜視図
【図８】第２実施形態のディスプレイ用菰樽を示す一部簡略斜視図
【図９】別の実施形態を示す台座部分を下面側から示す要部斜視図
【図１０】別の実施形態を示す台座部分を下面側から示す要部斜視図
【図１１】別実施形態の樽代用体を示す斜視図
（イ）は第１実施形態の水平板と、複数の斜め縦板とを用いない組付け構成の樽代用体を示す斜視図
（ロ）は第１実施形態の複数の斜め縦板を用いない組付け構成の樽代用体を示す斜視図
【図１２】従来の樽代用体を示す分解斜視図
【符号の説明】
Ａ              ディスプレイ用菰樽
Ｂ              樽代用体
Ｋ              菰
ａ，ｂ，ｃ，ｄ  綴じ縄
２              天板
３              底板
４              台座
５              胴板
６              底上げ部分
１０，１０      第１縦板
２０，２０      第２縦板
３０            水平板
４０            斜め縦板
【図１】
0004497692.tif 000002
【図２】
0004497692.tif 000003
【図３】
0004497692.tif 000004
【図４】
0004497692.tif 000005
【図５】
0004497692.tif 000006
【図６】
0004497692.tif 000007
【図７】
0004497692.tif 000008
【図８】
0004497692.tif 000009
【図９】
0004497692.tif 000010
【図１０】
0004497692.tif 000011
【図１１】
0004497692.tif 000012
【図１２】
0004497692.tif 000013